(57)【要約】【課題】  屋外で使用される場合であっても長期間使用できること、また軽量化を可能とするダイヤフラム式バルブ装置を提供する。【解決手段】  第導入孔１４と導出孔１５との間に弁座１７が設けられた第1ハウジング１１または／および第２ハウジング１２を金属材料で作製すると共に、第１ハウジング１１と第２ハウジング１２に挟持されるダイヤフラム３を金属より電気絶縁性に優れた可撓材料で作製し、ダイヤフラム３の全周にダイヤフラム３の外周３０ｄに沿ってシール部３０が形成され、シール部３０には、金属材料と対向する一面３１に複数の突起部３０ｂが形成された構成とした。【選択図】  図１
2009236277.tif 000002
【特許請求の範囲】
【請求項１】
導入孔と導出孔との間に弁座が設けられる第1ハウジングと、
前記第1ハウジングに対して取り付けられる第２ハウジングと、
前記弁座に離接させることにより前記弁座を流通する流体の流れの遮断を行う弁体と、
前記弁体が取り付けられるとともに前記第１ハウジングと前記第２ハウジングに挟持されて前記弁体の動きに伴って変形するダイヤフラムとを備え、
前記第1ハウジングまたは／および前記第２ハウジングは金属材料を基材とすると共に、前記ダイヤフラムは金属材料より電気絶縁性に優れた可撓材料を基材とし、前記ダイヤフラムは前記流体の漏れを防止するシール部を全周に有し、前記シール部の前記金属材料と対向する一面に複数の突起部を備えたことを特徴とするダイヤフラム式バルブ装置。
【請求項２】
前記突起部は、前記ダイヤフラムの内径側と外径側にそれぞれ設けられることを特徴とする請求項１に記載のダイヤフラム式バルブ装置。
【請求項３】
前記突起部は、前記第１ハウジングと前記第２ハウジングとのそれぞれの対向面に設けられることを特徴とする請求項１または請求項２に記載のダイヤフラム式バルブ装置。
【請求項４】
前記第1ハウジングと前記第２ハウジングが異なる金属材料から成り、前記突起部は前記第1ハウジングと前記第２ハウジングでイオン化傾向の大きい側に設けられることを特徴とする請求項１または請求項２に記載のダイヤフラム式バルブ装置。
【発明の詳細な説明】
【技術分野】
【０００１】
本発明は、ダイヤフラム式バルブ装置のダイヤフラムの取り付け構造に関する。
【背景技術】
【０００２】
従来、バルブ装置は流体（気体または液体）が流通するハウジング内に設けられて、流体の出入り口となる弁座に離接自在な弁体を当接させることで流体の遮断を行うものであるが、その弁体にダイヤフラムを用いたダイヤフラム式バルブ装置が知られている。ダイヤフラム式バルブ装置のダイヤフラムは、第１ハウジングと弁体を駆動させる駆動部を内設する第２ハウジングの間に挟持されて、第１ハウジングと第２ハウジングとの間で内部に流れる流体が漏れないように隔離する構成が知られている。このように第１ハウジングと第２ハウジングをダイヤフラムで隔離することで第１ハウジング内に流体を流通させても第２ハウジング内へ流体が流入することを防止できる。これにより、第２ハウジングに弁体を駆動する駆動部を設けたとしても駆動部を保護することができ、バルブ装置の長寿命化が可能となる。
【０００３】
このようなダイヤフラム式バルブ装置は、内部を流れる流体の圧力が高い場合、第１ハウジングと第２ハウジングを隔離しているダイヤフラムの周縁部がその圧力によって変形する。この場合、シール性が良くないと流体がダイヤフラムの周縁部から漏れる場合が起こりうる。また、ダイヤフラム自身がその使用時の圧力に耐えられなくなると、ダメージを被る場合もある。例えば、特許文献１にはダイヤフラム周縁部にビード部を形成してシールすることで漏れを防ぐ技術が開示されている。また、特許文献２に補強用の基布を入れたゴム製ダイヤフラムの外周側に膜状の張り出し部を一体成形して張り出し部を両側から一対のハウジングに挟持することで高圧条件下でも信頼性を確保できる技術が開示されている。
【特許文献１】特開２０００-２４９０００号公報（２頁〜３頁、図２）
【特許文献２】特開２００５-１８０２２４号公報（３頁）
【発明の開示】
【発明が解決しようとする課題】
【０００４】
特許文献１に示されたダイヤフラムは、ビード部を形成することで周縁部のシール性を向上することができ流体がダイヤフラム外縁部から漏れるのを防ぐことができる。また、特許文献２に示されたダイヤフラムは張り出し部が一対のハウジングに挟み込まれて支持されることでゴムと基布との剥離を防止し、ダイヤフラム式バルブ装置内を流通する流体がダイヤフラムの外周側から漏れるのを防ぐことができる。例えば、このような構成のダイヤフラム式バルブ装置を屋外で使用すると、ダイヤフラム式バルブ装置には雨水等の金属を腐食させ易い液体（以下腐食液と呼ぶ）が付着することがある。このような腐食液がダイヤフラムを挟持固定している第１ハウジングと第２ハウジング間の隙間に浸入すると第１ハウジングまたは／および第２ハウジングが金属材料を基材としていると、腐食液が電気化学反応の電解液として働き第１ハウジングまたは／および第２ハウジングに局部電池が形成される。その結果、腐食電流が流れて腐食が進行する。この際、腐食の進行度合いによってはダイヤフラム式バルブ装置の外部と内部が腐食した部分を通して連通し、ダイヤフラム式バルブ装置内を流通する流体が第１ハウジングと第２ハウジング間から漏れ出すことがある。従って、特許文献１および特許文献２の技術を使用することでダイヤフラム式バルブ装置内を流通する流体がダイヤフラム外縁部からダイヤフラム式バルブ装置の外部へ漏れ出すことを防ぐことはできる。しかし、外部から付着した腐食液によって腐食が進行することを抑制することはできず、腐食の進行度合いによっては第１ハウジングと第２ハウジングとの間のシール性が良くないとダイヤフラム式バルブ装置内を流通する流体がダイヤフラム式バルブ装置の外へ漏れ出すことが起こり得る。
【０００５】
ここで、例えばダイヤフラム式バルブ装置のハウジング等を腐食しにくい例えばステンレス鋼等の金属材料で作製して信頼性を確保することがある。この際軽量化を図ることもあり、軽量化のために比重の軽い例えばアルミ等の金属材料を使用する場合がある。このように信頼性と軽量化を両立するため第１ハウジングと第２ハウジングに異なった金属材料を使用したダイヤフラム式バルブ装置は、第１ハウジングと第２ハウジングを同じ金属材料で作製したとき以上に局部電池が形成されやすくなるため腐食は進行しやすくなる。
【０００６】
本発明は以上の点を鑑みて、ダイヤフラム式バルブ装置が屋外で使用される場合であっても長期間使用できること、また軽量化を可能とするダイヤフラム式バルブ装置を提供することを目的とする。
【課題を解決するための手段】
【０００７】
上記目的を達成するために講じた手段は、導入孔と導出孔との間に弁座が設けられる第1ハウジングと、前記第1ハウジングに対して取り付けられる第２ハウジングと、前記弁座に離接させることにより前記弁座を流通する流体の流れの遮断を行う弁体と、前記弁体が取り付けられるとともに前記第１ハウジングと前記第２ハウジングに挟持されて前記弁体の動きに伴って変形するダイヤフラムとを備え、前記第1ハウジングまたは／および前記第２ハウジングは金属材料を基材とすると共に、前記ダイヤフラムは金属材料より電気絶縁性に優れた可撓材料を基材とし、前記ダイヤフラムは前記流体の漏れを防止するシール部を全周に有し、前記シール部の前記金属材料と対向する一面に複数の突起部を備えた構成としたことにある。
【０００８】
この場合、突起部は、前記ダイヤフラムの内径側と外径側にそれぞれ設けられると良い。
【０００９】
また、突起部は、前記第１ハウジングと前記第２ハウジングとのそれぞれの対向面に設けられると良い。
【００１０】
更に、前記第1ハウジングと前記第２ハウジングが異なる金属材料から成り、前記突起部は前記第1ハウジングと前記第２ハウジングでイオン化傾向の大きい側に設けられると良い。
【発明の効果】
【００１１】
上記構成を備えたダイヤフラム式バルブ装置は、ダイヤフラムのシール部およびシール部の金属材料と対向する一面に備えた複数の突起部は可撓性を有しているために第１ハウジングと第２ハウジングに挟持されるとシール部および複数の突起部は変形して第１ハウジングと第２ハウジングとの間をシールする。この際、複数の突起部はシール部の変形に比べて大きく変形して第１ハウジングと第２ハウジング間のシール性を確実なものとする。また、突起部が複数あるため第１ハウジングと第２ハウジング間のシール性がより向上する。これにより、第１ハウジングと第２ハウジングの間からの雨水等の腐食液の浸入を妨げて、腐食液がダイヤフラム式バルブ装置の内部に浸入するのを確実に抑制することができる。
【００１２】
この場合、シール部の金属材料と対向する一面に複数の突起部を備えることにより、複数の突起部の間に腐食液が浸入したとき、シール部および複数の突起部が電気絶縁性に優れた可撓材料を基材としているので、腐食液を流れる腐食電流がシール部と複数の突起部に遮られて流れにくくなり局部電池の形成が抑えられるため腐食は進行しにくくなる。
【００１３】
また、突起部が前記ダイヤフラムの内径側と外径側にそれぞれ設けることで、効率的にシールすることができ、腐食液の浸入を抑えてダイヤフラム式バルブ装置の内部への腐食の進行を妨げることができる。
【００１４】
更に、突起部が第１ハウジングと第２ハウジングとのそれぞれの対向面に設けることで、より効率的に腐食液の浸入を抑えてダイヤフラム式バルブ装置の内部への腐食の進行を妨げることができる。
【００１５】
更にその上、第１ハウジングと第２ハウジングが異なる金属材料とすることで、第１ハウジングまたは第２ハウジングを比重の小さな金属材料とすることができ軽量化が可能となる。この場合複数の突起部が、第１ハウジングと第２ハウジングのうち腐食の発生が起こりやすいイオン化傾向の大きい金属材料側に設けられているため効果的に腐食の進行を抑制することができる。
【発明を実施するための最良の形態】
【００１６】
以下、本発明のダイヤフラム式バルブ装置１０について説明する。
【００１７】
本実施形態のダイヤフラム式バルブ装置１０は、図１に示すように、金属材料または樹脂材料を基材として流体（気体または液体）が流通する第１ハウジング１１と、可撓性を有して金属より電気絶縁性に優れたゴムや軟質樹脂材料等の高分子材料を基材とする膜状のダイヤフラム３と、金属または樹脂材料を基材としダイヤフラム３が固定された弁体２と、金属材料または樹脂材料を基材として弁体２を駆動させる駆動部（図示せず）が内設され、第１ハウジング１１にボルト等の取付具１１ｋで取り付けられた第２ハウジング１２（図１中に一部表示）とを備える。ここで、第１ハウジング１１と第２ハウジング１２が双方ともに樹脂材料を基材とした場合は、ダイヤフラム式バルブ装置１０に外部から雨水等の金属を腐食させる液体（腐食液）が付着しても腐食は進行しないため本発明から除いている。
【００１８】
第１ハウジング１１は、流体が導入される導入孔１４と、流体が導出される導出孔１５と、導入孔１４および導出孔１５の間に形成された円形状の弁口１６を形成するリング形状を成す弁座１７とを備える。導入孔１４は流体を送給する導入源（図示せず）に接続されている。導出孔１５は、導入孔１４から供給された流体が吐出される導出源（図示せず）に接続されている。ここで本実施形態では、第１ハウジング１１は流体の流通による腐食の抑制および耐久性を考慮してステンレス鋼を使用している。  
ダイヤフラム３は、ゴムや軟質樹脂材料等の電気絶縁性に優れた可撓材料を基材とし、第１ボディ１１の第１鍔部１１ｃと第２ボディ１２の第２鍔部１２ｃとで挟持固定されることでシールされ、第1ボディ１１を流通する流体がダイヤフラム３のシール部３０を通じて外部へ漏れるのを防止している。本実施形態では、補強材として基布を内部に入れたＥＰＤＭゴム（エチレン・プロピレンゴム）を基材として形成している。このため使用時に加わる各種圧力で破損せずに使用することができる。またダイヤフラム３は、図１に示すようにシール部３０と、弁体２の上面側に配置された固定膜部３１と、筒形状をなす可動膜部３２とを備えている。ダイヤフラム３は弁体２に固定されているため図１中の矢印Ｍ１，Ｍ２方向における弁体２の開閉作動に応じて第１ボディ１１を流通する流体が第２ボディ１２内に流入するのを防止した上で変形する。
【００１９】
以下に本実施形態のダイヤフラム３について詳細に説明する。
【００２０】
（第１実施形態）
図２に示すように、ダイヤフラム３のシール部３０は膜の断面が長方形状を成し、このシール部３０の第２ハウジング１２に対向し、図３に示すように第１ハウジング１１と第２ハウジング１２を組み付けたときに生ずる第１ハウジングと第２ハウジングの隙間４に最も近く位置する一面３１に断面が半円状の突起部３０ｂが複数本（本実施形態では内周側と外周側にそれぞれ１本の合計２本）所定の距離を空けてダイヤフラム３の外周３０ｄに沿って形成されている。
【００２１】
また、シール部３０の他面３２には断面が半円状の突起部３０ｃがダイヤフラム３の外周３０ｄに沿って形成されている。図３に示すようにシール部３０が突起部３０ｂおよび突起部３０ｃとともに第１ハウジング１１の第１鍔部１１ｃと第２ハウジング１２の第２鍔部１２ｃとで挟持されることで突起部３０ｂおよび突起部３０ｃは押圧されて変形し第１ハウジング１１と第２ハウジング１２の間に固定されて第１ハウジング１１と第２ハウジング１２の間をシールして第１ハウジング１１内を流通する流体が第１ハウジング１１とダイヤフラム３の間から外へ漏れるのを防ぐとともに、ダイヤフラム式バルブ装置１０の外部から雨水等の腐食液がダイヤフラム式バルブ装置１０の内部に浸入することを抑制している。
【００２２】
（第２実施形態）
図４に示すように、ダイヤフラム３の外周３０ｄに複数の突起部３０ｂが形成されて第２ハウジング１２の第２鍔部１２ｃに凹設された凹部１２ｄにシール部３０と突起部３０ｂおよび突起部３０ｃが配設されている。このときシール部３０および突起部３０ｃが第１ハウジング１１の第１鍔部１１ｃと第２ハウジング１２の第２鍔部１２ｃとで挟持されることで押圧されて変形する。このシール部３０および突起部３０ｃの変形が突起部３０ｂを第２鍔部１２ｃの凹部１２ｄに押し付けて突起部３０ｂを変形させるため第１ハウジング１１と第２ハウジング１２間のシール性は向上する。
【００２３】
（第３実施形態）
図５に示すように、第３実施形態では複数の突起部３０ｂは第１ハウジング１１と対向して突起部３０ｂ３と突起部３０ｂ４が配設され、第２ハウジング１２と対向して突起部３０ｂ１と突起部３０ｂ２が配設されている。このように第１ハウジング１１と第２ハウジング１２の両側に対向させることで、第１ハウジング１１と第２ハウジング１２間のシール性はさらに向上する。
【００２４】
なお、第１実施形態、第２実施形態、第３実施形態に共通して、突起部３０ｂおよび突起部３０ｃの断面は、方形、楕円等にすることもでき、半円状に限定するものではない。
【００２５】
また、ダイヤフラム３により第１ハウジングを流通する流体が第２ハウジング１２に流入するのを防いでいるため、第２ハウジング１２は流通する流体による内部からの腐食は起こりにくい。このことから本実施形態では第２ハウジングは第１ハウジングよりイオン化傾向が大きく腐食しやすいが第１ハウジングのステンレス鋼より比重が小さくて軽いアルミ合金を使用してダイヤフラム式バルブ装置１０の軽量化を図っている。
【００２６】
弁体２は、ダイヤフラム３の下方に位置するように、ダイヤフラム３の中央領域に軸部材２０を介して取り付けられている。弁体２は、軸部材２０の下端部に固定された金属等の剛性を有する硬質部２１と、硬質部２１の下面側に硬質部２１の周囲を覆って被覆されたゴムや軟質樹脂材料等のシール材料で形成されたシール部２２とを備えている。弁体２が閉方向（図１中矢印Ｍ２方向）に移動することで、シール部２２が弁座１７に当接し弁口１６を密閉するので、導入孔１４から導出孔１５へ流通する流体の流通を遮断する。なお、本実施形態では弁体２が平面になっているが、弁体および弁座の形状は、弁体と弁座が当接するものであれば特に限定するものではなく、各種形状に置き換えることができる。また、弁体２の矢印Ｍ１，Ｍ２方向への開閉する駆動方法はエアー、電気等通常のバルブ装置開閉に使用する駆動方法が適用できる。
【００２７】
次に本実施形態が腐食の進行を抑制する仕組みについて説明する。
【００２８】
第１ハウジング１１と第２ハウジング１２との当接部分は製作時の加工精度によっては完全に密着させて密閉することができずに図３または図４に示すように隙間４が残存する。この隙間４から腐食液が浸入したとき以下に示す２つの効果により腐食の進行を抑制する。
【００２９】
まず、第１の効果としてとして隙間４から浸入した腐食液はダイヤフラム３のシール部３０と複数の突起部３０ｂの中で最も隙間４に近い位置に形成された突起部３０ｂ１が第１ハウジング１１と第２ハウジング１２の間をしっかりとシールしているため、腐食液がこれ以上内部へ侵入するのを抑制する。つまり、シール部３０と複数の突起部３０ｂ１が内部への腐食液の侵入を構造上遮断して腐食の進行を抑える。また、腐食液が突起部３０ｂ１より内部に浸入しても突起部３０ｂの中で２番目に隙間４に近い位置に形成された突起部３０ｂ２とシール部３０が第１ハウジング１１と第２ハウジング１２の間をしっかりとシールしているため、内部への腐食液の侵入を抑制して腐食を抑える。（構造上のシール効果）
さらに、突起部３０ｂ１より内部に浸入して突起部３０ｂ２とシール部３０に遮られた腐食液は、電気絶縁性に優れた材料で製作されたダイヤフラム３のシール部３０と突起部３０ｂ１および突起部３０ｂ２に囲まれているため腐食電流が流れにくくなるため電気化学反応が起きにくくなり腐食の進行が抑えられる。つまり、腐食は電解液（腐食液）中を電流（腐食電流）が流れることで局部電池が形成され、この局部電池の形成が金属材料から金属イオンを溶出させて腐食を進行させている。従って、電気を通しにくい材料で囲うことで電流が流れにくい状態にさせることができ、金属材料から金属イオンを溶出させる電気化学反応が起こりにくくなるため腐食の進行が抑えられる。（電気化学反応の抑制効果）
以上、本実施形態のダイヤフラム式バルブ装置１０は、構造上のシール効果に加えて電気化学反応の抑制効果により外部からの腐食液に起因する腐食を起こりにくくすることができ長期間屋外で使用することができる。（耐久性、信頼性が向上する）
ここで本実施形態では第１ハウジング１１にステンレス鋼を使用し、第２ハウジング１２にアルミ合金を使用している。ステンレス鋼とアルミ合金ではイオン化傾向は異なっており、アルミ合金の方がステンレス鋼よりイオン化傾向が大きい。このように第１ハウジング１１と第２ハウジング１２を異なる金属材料を使用した場合、イオン化傾向の異なった金属材料が電解液（腐食液）を介して接触したときはイオン化傾向の大きな金属材料側（本実施形態ではアルミ合金を使用した第２ハウジング１２側）が腐食しやすい状態に置かれるため複数の突起部３０ｂを第２ハウジング１２に対向する一面に設けている。
【００３０】
このようなダイヤフラム式バルブ装置１０は、例えば車載用燃料電池に使用することができる。この場合第１ハウジング１１を流通する流体は燃料電池に使用する空気または反応ガスであり、この空気または反応ガスには多くの水分が含まれており、金属材料を腐食させ易い。そのため、流体が流通する第１ハウジング１１に腐食に強いステンレス鋼を使用することで腐食を抑えて信頼性および耐久性の確保が可能となる。また、ダイヤフラム式バルブ装置１０の外部からは雨水以外に、海水や洗車時の洗浄液等が金属材料を腐食させる腐食液として作用する。このため第１ハウジング１１と同様に第２ハウジング１２にステンレス鋼を使用すれば信頼性および耐久性の確保は可能となる。しかし、車の燃費を向上させる必要性から軽量化が要望され、第２ハウジング１２に比重の小さなアルミ合金を使用することでダイヤフラム式バルブ装置１０を軽くすることができる。この場合第１ハウジング１１と第２ハウジング１２が異種金属を使用しているため腐食が起こり易い状態になっていて使用上の困難が伴うが、本実施形態を使用することで腐食の進行を抑えることができ容易に使用することができる。つまり信頼性および耐久性の確保と軽量化の両立が可能となる。
【００３１】
以上本実施形態のダイヤフラム式バルブ装置１０では、導入孔１４と導出孔１５との間に弁座１７が設けられた第1ハウジング１１または／および第２ハウジング１２を金属材料で作製し、第１ハウジング１１と第２ハウジング１２に挟持固定されるダイヤフラム３を金属より電気絶縁性に優れた可撓材料で作製し、ダイヤフラム３の全周にはダイヤフラム３の外周３０ｄに沿って第１ハウジング１１と第２ハウジング１２に挟持固定されるシール部３０が形成されている。さらに、シール部３０には、金属材料と対向して隙間４に最も近くに位置する一面３１に複数の突起部３０ｂがダイヤフラム３の外周３０ｄに沿ってダイヤフラム３の全周に形成されている。これによりダイヤフラム式バルブ装置１０が屋外で使用されて雨水等の腐食液がダイヤフラム式バルブ装置１０の第１ハウジング１１と第２ハウジング１２の間から浸入してきたとき、複数の突起部３０ｂが雨水等の腐食液が内部へ浸入するのを抑えるとともに、浸入した腐食液に起因する腐食電流を流れにくくするため腐食の進行を抑えることができ、ダイヤフラム式バルブ装置１０の寿命を長くすることができる。
【００３２】
また、複数の突起部３０ｂはダイヤフラム３の外径側に突起部３０ｂ１が、ダイヤフラム３の内径側に突起部３０ｂ２が形成されている。このようにダイヤフラム３の外径側と内径側に形成することで第１ハウジング１１と第２ハウジング１２に押圧されて変形することにより、ダイヤフラム３の外径側と内径側をそれぞれ突起部３０ｂ１と突起部３０ｂ２がシールするため効率的にシールすることができる。
【００３３】
また、複数の突起部３０ｂが第１ハウジング１１との対向面に突起部３０ｂ１と突起部３０ｂ２が形成され、第２ハウジング１２との対向面に突起部３０ｂ３と突起部３０ｂ４が形成されると、より効率的にシールすることができる。
【００３４】
また、第1ハウジング１１を腐食に強い金属材料で作製し、第２ハウジング１２を第1ハウジング１１とイオン化傾向の異なり第1ハウジング１１の金属材料より比重が小さい金属材料で作製することで、腐食させやすい流体に使用でき、かつ軽くすることができる。
【００３５】
このように、第1ハウジング１１と第２ハウジング１２をイオン化傾向の異なる金属材料で作製したとき、複数の突起部３０ｂが腐食の発生が起こりやすいイオン化傾向の大きい金属材料側に設けられているため効果的に腐食の進行が抑制される。
【００３６】
以上、本発明を上記実施の態様に則して説明したが、本発明は上記態様にのみ限定されるものではなく、本発明の原理に準ずる各種態様を含むものである。
【図面の簡単な説明】
【００３７】
【図１】本発明のダイヤフラム式バルブ装置の断面図である。
【図２】本発明の第１実施形態におけるダイヤフラムシール部の拡大断面図である。
【図３】第１実施形態の要所部分拡大断面図である。
【図４】第２実施形態の要所部分拡大断面図である。
【図５】第３実施形態の要所部分拡大断面図である。
【符号の説明】
【００３８】
１０  ダイヤフラム式バルブ装置
１１  第１ハウジング
１２  第２ハウジング
１４  導入孔
１５  導出孔
１７  弁座
２    弁体
３    ダイヤフラム
３０  シール部
３１  一面
３０ｂ  突起部
３０ｄ  外周
【図１】
2009236277.tif 000003
【図２】
2009236277.tif 000004
【図３】
2009236277.tif 000005
【図４】
2009236277.tif 000006
【図５】
2009236277.tif 000007